(57)【要約】      （修正有）【課題】流し台にて利用される水切りかごにおいて、収納性を高めまな板も複数枚収納可能とすること。【解決手段】外桶と内かごからなる水切りかごであって、内かごの底板には突起棒（４ａ）と突起部（４ｂ）が備えられる。突起棒（４ａ）は縦列と横列とにおいて間隔が異なる。また、頂部がコップの載置形状となる支柱や、小物ケースを上部に備えた支柱等を突起棒（４ａ）に嵌合することで収納量を増やし、更には底板外周に備えたまな板受（４ｃ）に、まな板を外壁に立て掛けて複数枚収納することを可能とした。【選択図】図１
2019076409.tif 000002
【特許請求の範囲】
【請求項１】
外桶と内かごとから成る水切りかごであって、
前記内かごの底板に、突起棒と突起部とを設け、
前記突起棒同士の間隔が、横列と縦列とで異なる、
ことを特徴とする水切りかご。
【請求項２】
内かごの底板を、載置若しくは嵌合により利用する形態とすることを特徴とする請求項１の水切りかご。
【請求項３】
上部に収納部を備える支柱を、内かごの底板に備えられた突起棒に嵌合することを特徴とする請求項１の水切りかご。
【発明の詳細な説明】
【技術分野】
【０００１】
本発明は、流し台において洗浄後の食器を据え置く水切りかごに関する。
【背景技術】
【０００２】
水切りかごを大別すると、ラック様のステンレス等による細い棒材にて形成されたものと、一般家庭の流し台に備えられる樹脂等による、外側が桶状（以下外桶）であり、内側がざる状（内かご）となる二つを組み合わせた水切りかごとがある。
【０００３】
前者は主に業務形態に利用され、ラックごと持ち運ぶことが多い。例えば使用した食器をすすいだ後、ラックに並べラックごと食洗機に入れ、洗浄後はラックごと乾燥機へ入れる。その後はラックごと食器棚の前へ運び食器を収納することとなる。また、食器の量は非常に多く、ラックも種分けされ、皿専用、椀物専用、丼専用等により同種類の食器を洗うことで効率を高めている。また、この利用形態に適応するため、洗浄水や熱風が循環しやすい棒材によるラック形状となっている。
【０００４】
これに対し後者は、家庭において雑多な物も洗い、例えばペットボトルやキャップ、紙パック、また小さなスプーンや時には冷凍用のシール袋もあり、当然食器も様々な大きさが混在する。よって家庭用の水切りかごは前者のラック式とは異なり、食器から落ちる水を受けるための外桶が必要であり、内かごも小物が落ちない事が条件とされる。
【０００５】
そこで特許文献１によるラック式においても、家庭での雑多な食器に対応すべく側面や底面の針金の形状を変えて、異なる食器の収納性や水切り性を高める構造が開示されている。この水切り性とは食器を斜め、若しくは直立して据え置くことで水切れが良く、糸尻に残る水も僅かであり周知のことである。
【０００６】
ここでは家庭における水切りかご、つまり後者において、より利便性を高めることを目的とする。例えば特許文献２には、主にコップへの対応を重視した形状として、水切りかごの底面側方にコップ専用の水切り部を設けてあり、底面は皿等を立て置くための仕切り（区画）を、縦と横とに配置した形状となっている。
【０００７】
また特許文献３においては水切りかごの底面に、様々な形状の支持材を嵌合し、その配置箇所によって様々な食器に対応可能とする形態が開示されている。
【先行技術文献】
【特許文献】
【０００８】
【特許文献１】特開２００２−３３０８８０号公報
【特許文献２】特開平８−２２４２０４号公報
【特許文献３】実開平７−０３９７５３号公報
【発明の概要】
【発明が解決しようとする課題】
【０００９】
ここで背景を鑑みると、ラック式によるものは家庭には適さないといえる。例えば水受け皿は必ず必要であり、また流し台の上では調理もなされ食材や液状の食品も飛び散り食器を汚すこととなり、当然水切りかごには外桶が必要である。また内かごの底面も小物が落ちないため細かなザル状にしなければならず、つまり鋼材ではコストが嵩みすぎる。よって特許文献１とは異なる形態といえる。
【００１０】
特許文献２においては、コップの滴垂れに対しコストは甚しいものとなり、コップの大きさに対しても対応性は低いものである。特許文献３においては、支持材を取り替えることは容易ではなく、数多くの支持材を配置しなおすことは食器を洗う程の手間が必要ともいえる。この形態の利点は特異な形状の食器を継続的に洗う場合に効果的と考えられる。
【００１１】
これらを鑑みて、一般家庭における利便性に秀れる水切りかごの提供を課題とする。
【課題を解決するための手段】
【００１２】
ここで水切りかごのもつ課題を詳細に表わしてみると、食器はなるべく立てて置く。収納性を良くする。出来ればまな板や包丁も収納したい。また小さな食器やスプーンも水が溜らない状態で収納することなどが挙げられる。そこで、まず食器を立てて置くための棒状の突起部（突起棒）を適所に備え、この突起棒の間に皿を立てて収納する。しかし皿の厚さも多様であり深い皿が入らなかったり、薄くてやや小さめの皿ではスペースに無駄が生ずる。特に家庭では同じ大きさの皿を何枚も使うことは少なく、数種類の皿を使うのが一般的である。
【００１３】
そこで間隔がやや広めの深皿に対応できる幅（ピッチ）で突起棒を備え、且つ突起棒と突起棒との間のスペースとなる底板に、僅かな突起部を設ける。これにより大きい皿の隙間に小さい皿を並べて収納することができる。またこの突起棒による区画は特許文献２の皿を立て込む形状と異なり、皿を平行に並べなくても角度を変えて交互に並べる事も可能であり、収納量は多いものである。
【００１４】
次に深い皿よりも更に深い食器、つまり丼や椀物の収納においてもやはり立てて収納することが好ましい。そこで突起棒の間隔を広くした状態を縦列に配置する（図１参照）。つまり横列のピッチは狭く、縦列のピッチは広く、当然その間に設けられる突起部の数も異なる。この広くなった突起棒の間隔を利用して丼等は縦列に収納される。
【００１５】
次にコップやマグカップ、また箸やスプーン等の収納については、突起棒に支柱を嵌合して、支柱の頂部にコップを被せて据え置くコップ立てを備える。また小物は短い支柱の上部にかごを備え箸やスプーン等を立てて収納することとする。
【００１６】
次はまな板と包丁であるが、例えば一般的な水切りかごの側面が、外側へ傾斜する構造であれば、水切りかごの底面縁部外周において、まな板を立て掛けて収納状態とすることができる。また包丁においては、収納できる構造とすることも可能であるが、コストや危険性を鑑みると、その都度包丁差しへ収納することが適切と考えられる。
【発明の効果】
【００１７】
様々な食器を立てて収納でき、コップや箸、スプーン等の収納も効果的であり、まな板やランチョンマットも外周に立てて置くことができる。またペットボトルや紙パック、ビール瓶や袋類も口を下にして、水を切った状態で立てておくことができる。また食材を入れるプラケースや、その蓋等薄い形状のものも密着することなく数多くを収納することができる。
【図面の簡単な説明】
【００１８】
【図１】本発明による水切りかごの平面図
【図２】本発明による水切りかごの断面拡大図
【図３】本発明による水切りかごの利用時の見取図
【発明を実施するための形態】
【００１９】
形態について図１〜図３を参照して詳しく説明すると、外桶（１）と、内かご（２）から成り、内かごの底板（４）に食器を立て掛けるための突部を備える。突部は大きな食器を確実に据え置く（収納する）ための突起棒（４ａ）と、その突起棒（４ａ）ごとの間に小さな食器を据え置くための突起部（４ｂ）とを備える。例えば図２の場合大きな深い皿は突起棒（４ａ）を１つ置きに据え置くこととなり、その隙間に小さな食器を並べスペースを活用する。また非常に浅い皿は突起棒（４ａ）ごとの１箇所のスペースに２枚据え置くことができる。
【００２０】
この突起棒（４ａ）の間隔を図１にて説明すると、横列は狭く縦列は広く備えられている。これは大きな丼の場合、横向きに据え置くと突起棒（４ａ）が複数本接触し、底板（４）に安定して据え置くことができないためであり、よって深い丼や椀物は縦列を利用し縦向きに据え置くこととなる。
【００２１】
内かご（２）は通常ざる状となっており水が溜まる構造ではない。図１の内かごは図面を見易くするため底板が面体となる形状であり、よって適所に排水孔（４ｄ）を備える。しかしざる状となるフレームに突起棒（４ａ）や突起部（４ｂ）を備える事も可能であり、これについてはコストや強度及び技術的事項を鑑み当業者に委ねられるといえる。
【００２２】
次にまな板の収納方法として説明すると、通常水切りかごの側板（３）は上部へと広がる傾斜となり、まな板を側板（３）へ立て掛けて据え置くことができる。これは水切りかごの側面となる４方向を利用することで最大４枚のまな板を据え置くことができる。現代は非常に薄いまな板が流通し、主流ともいえる。このまな板を重ねて２枚据え置くことも可能であるが、衛生上厳禁といわざるを得ない。
【００２３】
しかし４枚のまな板を据え置くとしても、まな板の高さは水切りかごより高く、洗った食器を据え置く際には邪魔になる為、左側の側面か奥側の側面にしか据え置くことができない。また食器を据え置いた後にまな板を収納するには側面の空いた箇所しか利用できず、例えば１箇所しかない場合もあり得る。
【００２４】
そこで図２に記載のまな板受（４ｃ）となる段差を設けることで２枚のまな板を収納できる。この幅を広げ段差を２段とすれば３段のまな板を密着しない状態で収納できる。とはいえ、家庭での利用は１側面に２枚の収納形態を４面に備えることで十分といえる。
【００２５】
次にコップや箸、スプーン等の小物において考察すると、コップや小物等の専用スペースを設けると、その物を利用しない場合はスペースが無駄となって好ましくない。そこで利用時のみ設置する構造とし、図３による突起棒（４ａ）に嵌合する支柱を備え上部を利用食器に対応する形状とする。
【００２６】
コップ等の場合は、コップ立て（１１）とし支柱の長さは食器を収納しても干渉しない、例えば長さ（頂部の高さ）が３０ｃｍ程度とする。また支柱が分岐し複数のコップを掛けることも可能である。このコップ立て（１１）は袋を被せて乾かすこともできる。また小物においてはざる状となる小物ケース（１２）を支柱の頂部に備える。小物ケースは直接底板（４）に載置する形状であっても良いが、少し高くすることで小物ケースの下方にも小皿等が収納できスペースの利用に効果的である。ただあまり高過ぎると、立てた箸が邪魔にも成り得る。
【００２７】
最後に底板（４）について考察すると、底板は突起棒（４ａ）を備えるため柔らかい食材を洗って載置した場合、食材に傷が付きやすい形状である。ボールや金ざるを利用すれば回避できるものではあるが・・・。また底板（４）の洗浄においても、底板（４）のみの単体であることが好ましいとも考えられる。そこで内かご（２）の底板（４）を載置するための、数本のフレームのみにして、その上に載置することで、底板（４）を単体とすることができる。また市販の水切りかごに単体となる底板（４）のみを載置する方法であっても良い。
【符号の説明】
【００２８】
１    外桶
２    内かご
３    側板
４    底板
４ａ  突起棒
４ｂ  突起部
４ｃ  まな板受
４ｄ  排水孔
１０  まな板
１１  コップ立て
１２  小物ケース
【図１】
2019076409.tif 000003
【図２】
2019076409.tif 000004
【図３】
2019076409.tif 000005